(57)【特許請求の範囲】
【請求項１】
走行体と本体とからなる走行手段と、この走行手段の一側に取り付けて、圃場における地中に排水管と該排水管の上部へ疎水材を連続的に埋設する暗渠排水敷設手段と、前記走行手段の機体へ、その走行方向を挟んだ両側に設けた包装体に入った前記疎水材を載置する載置台と、この載置台上の前記包装体に入った疎水材か地上に置いた前記包装体に入った疎水材かを係脱自在に吊持する吊持手段とを備えさせたことを特徴とする暗渠排水敷設装置。
【請求項２】
走行体と本体とからなる走行手段と、この走行手段の一側に取り付けて、圃場における地中に排水管と該排水管の上部へ疎水材を連続的に埋設する暗渠排水敷設手段と、前記走行手段の機体へ、その走行方向を挟んだ両側に設けた包装体に入った前記疎水材を載置する載置台と、この載置台上の前記包装体に入った疎水材を係脱自在に吊持する吊持手段と、前記走行手段へ取り付けて前記包装体に入った疎水材を受け入れ、前記暗渠排水敷設手段における収容ホッパーへ前記疎水材を送り込む移送手段とを備えさせたことを特徴とする暗渠排水敷設装置。
【請求項３】
疎水材は、クリンカアッシュまたは木質系のチップのいずれかであることを特徴とする請求項１または２記載の暗渠排水敷設装置。
【請求項４】
暗渠排水敷設手段における破砕体の供給路に、疎水材の供給を促進させる送り込み手段を設けてなり、
この送り込み手段は、収容ホッパーに取り付けた取付部材と、この取付部材へ回転自在に垂下させその下端部を前記収容ホッパーにおける通路内あるいは前記供給路内へその先端部等を臨ませた縦長状の回転軸と、この回転軸に周設した前記疎水材の撹拌および該疎水材の前記供給路への送り込みを行う送出部材と、前記回転軸へこの回転軸と略直交する方向に突設させた一個または複数個の撹拌部材と、前記回転軸を駆動する回転部材とを有することを特徴とする請求項１または２記載の暗渠排水敷設装置。
【発明の詳細な説明】
【０００１】
【産業上の利用分野】
本発明は、圃場等において心土耕を行って耕盤を粉砕し、圃場等の根の心土への侵入や、疎水材による通気性や透水性，保水性等を改善するための作業を簡単かつ確実に行うことができる暗渠排水敷設装置に関する。
【０００２】
【従来の技術】
茶園などの圃場の造成や、既存の圃場において、通気性や透水性，保水性等の土壌物性が低下した際、特に、重粘土壌等の水田の改善や、あるいは、これらの水田を畑圃場に転換する際には、これらの土壌の耕盤層を破壊し、更に、心土を膨軟にする、いわゆる、混層耕を行うことが必要であった。
【０００３】
一方、圃場における土壌の管理には、該土壌に所定の排水能力と、所定の貯水能力が必要で、この対応策として、これら圃場に暗渠排水を間隔的に敷設し疎水材を設けることにより、高い土壌性を有する圃場の造成や既存圃場の改善を図ることができるものである。
したがって、本発明者は、既に、走行手段の一側と枠体とに牽引手段を取り付け、該枠体の下側へ土壌における心土層を前記走行手段の作動により切開して縦溝を形成させる破砕体を設けて、この破砕体へ沿わせて前記縦溝の底部へ敷設する排水管の供給手段と、前記縦溝へ疎水材を充填する充填手段を設ける土壌改良装置およびその方法（例えば、特許文献１参照）を提供し、その圃場の造成や改善に大きな効果を発揮した。
【０００４】
【特許文献１】
特開２０００−２１７４３３公報
【０００５】
しかし、前記排水管の地中への埋設にあっては、前記走行手段の牽引により土壌における心土層を切開して排水管と疎水材が埋まる縦溝を形成させなければならないため、前記破砕体を牽引するための走行手段の走行駆動能力は極めて大きなものを使用しなければならず、そのため、その走行手段が大型化し、全体総重量も大幅にかさむので、この暗渠排水の敷設を行った後に前記した混層耕の作業をしないと、折角、圃場全体の心土を膨軟にしても、前記総重量の大きい走行手段により、圃場が踏み締められて土壌が固くなってしまう欠点があった。
特に、前記したように、前記破砕体の牽引にあって、図１４に示すように、走行手段１００の進行方向後部１００ａが破砕体１０１の牽引に際して、同図において矢印ｐに示す方向へ、すなわち、下方へ遍荷重として掛かるので、一層、圃場がこの荷重によって沈み、踏み締められる現象が助長される。
【０００６】
一方、前記した暗渠排水の敷設後の圃場に混層耕作業を行うと、この排水管と疎水材の充填層とを避けて耕作しなければならないので、一連的で効率的な機械作業がしにくく、円滑で十分な混層耕を行うことができない。
また、この混層耕作業機により行う混層耕作業中に、既に埋設した排水管や疎水材の充填層に該作業機が干渉し、折角構築した暗渠排水に悪影響を与えるおそれがあり、更には、排水管を工作機により引っ掛けて破壊させてしまう重大な問題点を有するものであった。
【０００７】
【発明が解決しようとする課題】
本発明は、前記した問題点を解決するためにされたもので、圃場における表土に対して混層耕を施した後、この混層耕を施した表土において定められた埋設深さに排水管を連続的に線状に敷設しつつ、この排水管の上部から地表付近まで該排水管に沿って連続的に疎水材を積層させて、前記地表近くから前記排水管までに通水・通気層を形成させることにより、圃場等において、十分に混層耕を施した後に排水管と疎水材層との暗渠排水を敷設を簡単かつ確実に行なうことができる暗渠排水敷設装置を提供することを目的としている。
【０００８】
【課題を解決するための手段】
前記した目的を達成するための本発明は、
走行体と本体とからなる走行手段と、この走行手段の一側に取り付けて、圃場における地中に排水管と該排水管の上部へ疎水材を連続的に埋設する暗渠排水敷設手段と、前記走行手段の機体へ、その走行方向を挟んだ両側に設けた包装体に入った前記疎水材を載置する載置台と、この載置台上の前記包装体に入った疎水材か地上に置いた前記包装体に入った疎水材かを係脱自在に吊持する吊持手段とを備えさせた暗渠排水敷設装置の構成にある。
【０００９】
走行体と本体とからなる走行手段と、この走行手段の一側に取り付けて、圃場における地中に排水管と該排水管の上部へ疎水材を連続的に埋設する暗渠排水敷設手段と、前記走行手段の機体へ、その走行方向を挟んだ両側に設けた包装体に入った前記疎水材を載置する載置台と、この載置台上の前記包装体に入った疎水材を係脱自在に吊持する吊持手段と、前記走行手段へ取り付けて前記包装体に入った疎水材を受け入れ、前記暗渠排水敷設手段における収容ホッパーへ前記疎水材を送り込む移送手段とを備えさせた暗渠排水敷設装置の構成にある。
【００１０】
疎水材は、クリンカアッシュまたは木質系のチップのいずれかである。
【００１１】
暗渠排水敷設手段における破砕体の供給路に、疎水材の供給を促進させる送り込み手段を設けてなり、
この送り込み手段は、収容ホッパーに取り付けた取付部材と、この取付部材へ回転自在に垂下させその下端部を前記収容ホッパーにおける通路内あるいは前記供給路内へその先端部等を臨ませた縦長状の回転軸と、この回転軸に周設した前記疎水材の撹拌および該疎水材の前記供給路への送り込みを行う送出部材と、前記回転軸へこの回転軸と略直交する方向に突設させた一個または複数個の撹拌部材と、前記回転軸を駆動する回転部材とを有する。
【００１７】
【実施例】
次に、本発明に関する暗渠排水敷設装置の実施の一例を図面に基づいて説明する。
図１，図５および図６，図１０においてＡは本発明実施例の暗渠排水敷設装置で、造成する圃場あるいは既存の圃場等の土壌ｅに対して、所定深さに排水管ｂとこの排水管ｂの上部に疎水材ｃを敷設して、通気性や透水性，保水性等の土壌の物性の改善を行う。
なお、前記した排水管ｂは、フレキシブル性を有する合成樹脂等により成形した長尺で所定径、例えば、５０φ〜６０φ程度の内部が空間部を有するパイプ状のもので、その周面部に、排水管ｂ内部の空間部へつながる通孔ｂ１を多数穿設してある。
【００１８】
また、疎水材ｃは、土壌ｅ中に埋設した排水管ｂへ速やかにあるいはゆっくりと水が流れ込むように、該排水管ｂの上（排水管ｂの上から地表まで、あるいは、作土層に至るまで）に水の通しやすい資材を入れるためのもので、更には、心土層を間隔的に仕切って、これら心土層において通水や通気を促進させるものであって、その資材として、例えば、籾殻や砂，砂利，木質系のチップ（特には、枝条チップ），パーライト，粒状ロックウール、更には、クリンカアッシュなどが用いられるもので、地中において層状に設けられたとき、通水と通気あるいは導水（気）層を形成すると共に、保水・保気が適宜行い得る層を形成するものである。木質系のチップを用いた疎水材ｃは、間伐材（バージン材も含む）や倒壊した樹木，ダム等に漂流した流木などが用いられる。
なお、疎水材ｃのうち、クリンカアッシュは、例えば、赤熱状態でボイラー等の底部の水槽に落下した石炭灰を、破砕機などで粉砕して得たもので、高い透水性や保水性を有する。また、石炭などを各種産業の燃料と用いたときに排出される産業廃棄物である。
【００１９】
そして、図１，図５および図６においてＡは第一実施例の暗渠排水敷設装置でもので、走行手段１と、暗渠排水敷設手段手段２とにより基本的に構成される。
前記した走行手段１は、走行体３と本体４とからなるもので、慣用のブルドーザーやトラクタ，掘削機等の重機や産業用大型車、あるいはこれらに類した車両などが用いられるものであって、既存の車両や、本発明実施例用に製作されたものである。
このうち、走行体３は、埋設される排水管ｂを挟んでその両側を走行する一対の無限軌道体が用いられるものであり、所定の接地長が得られるように支持部材４ａへ地上に対して走行自在に取り付けてある。
なお、この無限軌道体を用いた場合には、タイヤ式などと比べて装置全体の重量をこの無限軌道体に分散することができ、接地圧をできるだけ低く抑えさせて、表土に対する沈下を少なくすることができる。
また、この無限軌道体である走行体３の履帯幅は、比較的幅広であって、例えば、８００ｍｍ〜１２００ｍｍ幅程度を有する。これにより、この走行体３の接地圧を可及的に低くすることができて、圃場におけるぼう軟工事が施された表土部に対して、暗渠排水敷設装置Ａの自重による踏み締めをできるだけ与えないようにすることができる。
【００２０】
また、前記した本体４は、走行体３を支承する支持部材４ａと接続させてあって、主として、この走行体３を駆動する駆動源（エンジン）やその操作系，燃料タンク等の比較的大重量を有するものであり、該走行体３の走行方向へ向かってこの走行体３の前側部に据え付けてある。すなわち、該本体４自体の荷重が、後記する暗渠排水敷設手段２の荷重と支持部材４ａにおいてバランスするように走行体３の走行へ向かって前側部側に偏って（後記する暗渠排水敷設手段２を支持部材４ａへ据え付けていない場合の状態）掛かるようにしてある。
【００２１】
前記した暗渠排水敷設手段２は、走行手段１の走行方向へ向かって一側、すなわち、本体４とは他側において支持部材４ａへ取り付けてあって、圃場における地中に縦溝２４を形成させつつ、連続した長さの排水管ｂと、該排水管ｂの上部へ疎水材ｃを連続的に埋設するもので、昇降手段６と、収容ホッパー７と、破砕体５と、供給手段９とからなる。
【００２２】
また、前記したように、走行体３の走行方向へ向かって支持部材４ａの前側部に本体４を据え付け、該走行体３の走行方向へ向かって支持部材４ａの後側部に暗渠排水敷設手段２を据え付けて、暗渠排水敷設手段２による走行体３の後側に掛かる牽引抵抗力と、更に、走行体３の前側と後側とに掛かる重量のバランスを取り、走行体３に掛かる接地圧が、該走行体３の接地長Ｌ（図１参照）全体へ均等に掛かるように設けてある。
【００２３】
そして、前記した昇降手段６は、走行手段１における支持部材４ａに取り付けてあって、後記する収容ホッパー７および破砕体５を適宜昇降移動させるもので、特に、破砕体５は、地上位置から地中の所定位置への移動がなされるように設けられる。
この昇降手段６は、支持部材４ａの取付体１０へその一端部を軸１１，１２により回動自在に取り付けた一対の連係体１３，１４と、この一対の連係体１３，１４の他端部へ軸１５，１６により回動自在に取り付けた保持体１７と、前記一対の連係体１３，１４のどちらか一方または両方へ設けた操作部材１８とよりなる。
【００２４】
なお、一対の連係体１３，１４は、平行リンク状に形成されているものであるが、その一方の連係体１４は、油圧等の流体シリンダを用いることで、そのロッドの進退により、保持体１７が軸１５を中心として回動自在となって、後記する破砕体５の地中における埋入角度θ（図７参照）を任意に変換させることができると共に、地上にあっては、後記する破砕体５の下端部をできるだけ上方へ繰り上げさせることができるので、運搬時などの走行にあって、この破砕体５の下端部が地上物に干渉することがなく、特に、トラックなどの運搬車輌への搬入出にあって、走行手段１が傾斜状態に乗り入れしたとき有効となる。
前記した破砕体５の地中における埋入角度θは、後記する土切り部材２０が後方へ向かうにしたがって下向き傾斜となるように取り付ければ、縦溝２４の形成にあって土切り抵抗を減少させることができる。
【００２５】
また、操作部材１８は、一対の連係体１３，１４を任意に回動させるもので、油圧等の流体シリンダを用いる。
【００２６】
前記した収容ホッパー７は、昇降手段６の保持体１７へ取り付けて、多量の疎水材ｃを収容するもので、上部が大きく開口する漏斗状に形成され、底部には疎水材ｃが自重落下で送り出される通路７ａが設けられている。
また、疎水材ｃは、上部に吊り下げ紐を有する包装体ｃ１（トンパック等）内へ所定量が、例えば、１ｍ３    程度が収容されているもので、後記する吊持手段３４によって、収容ホッパー７の上部開口から包装体ｃ１の全体または一部が挿入し得るように設けられていて、この包装体ｃ１の底部に設けた結束部材ｃ２を開放することで、閉じられていた包装体ｃ１の底部が開き、この収容ホッパー７内に疎水材ｃが一度にあるいは順次適量ずつ供給される。
【００２７】
前記した破砕体５は、保持体１７および収容ホッパー７の底部における通路７ａへ接続させてあって、特には、保持体１７へ走行手段１の進行方向に対して加振手段３０を介して移動自在に支承されているもので、土切り部材２０と、掘進部材２１と、供給路２２とからなる。
このうち、前記した土切り部材２０は、保持体１７より垂下させて後方へ及ぶにしたがって垂直方向を挟んで両側へ広がる断面＜型状に形成してあって、その後側に溝壁押え２３，２３をそれぞれ延設してあるもので、図３および図５に示すように、土壌ｅを押し開いて該土壌ｅへ縦溝２４を連続的に形成させつつ、この土壌ｅに圧密を与えて、この縦溝２４の崩落を防止させると共に、この溝壁押え２３，２３内に排水管ｂおよび疎水材ｃの供給路２２を形成させる。
【００２８】
前記した掘進部材２１は、土切り部材２０の下端部に設けて縦溝２４における排水管埋設路２５を形成させるもので、先端部が尖鋭となる砲弾状に形成してあって、掘進した地盤の押し広げを容易となるように設けてあり、形成された縦溝２４の底部における埋設路２５へ排水管ｂを略直線状で所定長さに敷設する。
【００２９】
前記した供給路２２は、内部が空間状に形成され、土切り体２０の後側において収容ホッパー７の底部における通路７ａへ連接させてあって、前記空間状の高さ方向へその全高に対して疎水材ｃを収容するもので、この供給路２２の後側においてその高さ方向へその全高に対して疎水材ｃが順次排出される開口部２６を設けてある。（図３および図４参照）
なお、排水管ｂの供給にあっては、破砕体５における供給路２２の移動方向前側に設けられるもので、この供給路２２内において疎水材ｃと同時に送られるようにしてもよいが、該破砕体５内に設けた仕切り体２７ｂにより形成される挿嵌路２７を設け、この挿嵌路２７へその上部から排水管ｂを挿入し、該挿嵌路２７の下部の送り出し口２７ａから排水管ｂの先端部を取り出す。
【００３０】
この破砕体５には、該破砕体５に対して振動を与える加振手段３０を付設させてあるもので、この振動により破砕体５と地中とに僅かな隙間を形成させることで、破砕体５の地中への掘進が促進されると共に、収容ホッパー７からのおよび供給路２２への疎水材ｃの落下や挿入も促進され、更には、端水管ｂの供給も円滑となる。
この加振手段３０は、所定ストロークで進退する油圧等による流体シリンダが用いられるもので、その一端部３０ａを保持体１７に取り付け、他端部３０ｂを破砕体５の適所に取り付けることで、該加振手段３０の進退運動が所定サイクルの振動となって破砕体５に伝達される。
すなわち、破砕体５を保持体１７に対して走行手段１の走行方向に対して同一方向へ移動自在となるように取り付けて、所定ストローク（所定ピッチ）で進退する加振手段３０の操作により、この所定ストローク（所定ピッチ）に合わせて破砕体５が進退運動（進行方向に対して一定ピッチで戻る方向へ運動）するものである。
【００３１】
また、排水管ｂの連続的な供給にあっては、図１に示すような、供給手段９が用いられるもので、該供給手段９は、破砕体５により形成された縦溝２４の底部における埋設路２４ａに排水管ｂを供給するもので、走行手段１における本体４前部へ回転自在に支承したリール体３１へ所定長さの該排水管ｂをロール状に巻き付けておくもので、このリール体３１は本体４に対して着脱自在に設けられるものであって、敷設の進行に伴ってなくなった排水管ｂの交換供給をすることができる。
したがって、このリール体３１の回転によって、該リール体３１から繰り出される排水管ｂを、縦溝２４における排水管埋設路２５に導く。
また、一旦地中へこの排水管ｂが埋設され固定されれば、走行手段１の走行に伴って該埋められた排水管ｂを引っ張ることで、走行手段１の走行移動した分だけ排水管ｂが順次供給されるものである。
【００３２】
なお、図１において３２は、破砕体５の地中貫入深さを調整する高さ位置検出手段で、図示してないレーザ受光体とレーザ発光体とからなるもので、例えば、本体４の適所にレーザ受光体を取り付け、工作する圃場に隣接した適所にレーザ発光体を設置して、破砕体５の走行手段１が走行する地表において高さ変化を生ずると、あらかじめ設定した基準値を外れたとき、レーザ受光体の受光信号に基づいて操作部材１８を作動することで、保持体１７が上下し、それに伴って、破砕体５が土壌ｅに貫入する高さ位置を常に一定にさせることができる。
【００３３】
更に、走行手段１の支持部材４ａにおいて、その走行方向における両側に設けた包装体ｃ１に入った疎水材ｃを載置する略水平の載置台３３を、走行手段１による走行方向と平行してできるだけ長い距離が連れるように取り付けてある。
これにより、疎水材ｃ入りの包装体ｃ１が複数個、例えば、片側前後に２個ずつ、両側で４個が載置されるもので、後記する吊持手段３４の操作により、暗渠排水を形成中に残り少なくなった疎水材ｃの収容ホッパー７への供給を、暗渠排水の形成作業を中断させることなく連続的に行うことができる。
【００３４】
この疎水材ｃ入りの包装体ｃ１の移動にあっては、走行手段１における支持部材４ａに据え付けた吊持手段３４により行われるもので、該吊持手段３４は、支持部材４ａの取付体１０へ支柱３５を立設して、この支柱３５の上部より側方へ張り出して支軸３６を中心として上下方向へ回動自在に腕体３７を取り付けてある。
更に、この腕体３７と支柱３５とにわたって、油圧等による流体シリンダからなる該腕体３７を回動操作させる揺動手段３８を取り付けてある。
また、腕体３７には、包装体ｃ１を吊持するフック３９をその先端部に固着したワイヤ等の連係索４０を、所定長さに巻き付けたドラム状の巻き上げ部材４１に取り付けてある。なお、この巻き上げ部材４１は、巻き上げアーム４２を腕体３７に取り付けてあって、この巻き上げアーム４２の先端部に設けた滑車等の迂回部材４３に連係索４０を係合させてあるものであり、該巻き上げ部材４１は油圧モータ等の回転部材４４により駆動される。
更には、支柱３５は、油圧モータ等の回動部材４５により駆動されて、その腕体３７および巻き上げアーム４２が任意の回転角に旋回されることで、暗渠排水敷設装置Ａにおける載置台３３上の包装体ｃ１に入った疎水材ｃに対する吊り上げ作業はもちろんのこと、圃場あるいは圃場近傍の地上に置いた包装体ｃ１に入った疎水材ｃに対しても係脱自在に吊持することができる。
【００３５】
前記のように構成される本発明の第一実施例の暗渠排水敷設装置Ａは、以下に述べる作用を奏するもので、暗渠排水の敷設対象は茶園である圃場について説明する。
茶園における土壌ｅに埋設された排水暗渠が老朽化等により排水能力が低下したとき、あるいは、水田から畑に農地転換するときは、更には、新規に農地を造成するときなどにあって、これに先だってまず、土層を改善する必要がある。
【００３６】
すなわち、この圃場における土壌ｅに対して深さが１００ｃｍ〜１５０ｃｍ程度（圃場の物性等によって深さは任意に設定される）の表土に対して、例えば、図６に示すような、ロータバケット体５０をバックホー等を有する重機において、そのアーム（図示せず）に取り付けて混層耕を行う。
また、前記既設の排水暗渠はこの時点で外部へ撤去する。
なお、ここでいう混層耕とは、例えば、前記した地中深さにおいて土壌ｅを掘り起こして、該土壌ｅの複数層（例えば、作土層や心土層など）にわたってこれら層を混合・撹拌することで、緊密化した土壌ｅをぼう軟し、その内部へ万遍なく酸素などの供給を行うものである。また、必要に応じて、この土に適宜な肥料や有機質資材を散布してこれらと共に混合・撹拌して、土および肥料や有機質資材を万遍なく混在させることで土壌改良が図れる。
【００３７】
前記したロータバケット体５０は、図６に示すように、アーム５１の先端部に掘り起こし爪５２を複数個付設したバケット５３内に、油圧モータ等の回転部材５４により回転駆動される撹拌羽根５５を多数取り付けて、掘り起こした土壌ｅの土塊をバケット５３内に溜め、内部の撹拌羽根５５により破砕してほぐし、細かくなったものを、順次バケット５３底部のスリット５６から落として土壌ｅへ戻す。
【００３８】
こうして、圃場全体にこの混層耕を万遍なく施した後、本発明実施例による暗渠排水敷設装置Ａによって排水管ｂと疎水材ｃからなる暗渠排水ｄの敷設を行うもので、まず、圃場へ暗渠排水敷設装置Ａを運搬し、排水管ｂの敷設形態があらかじめ設計された位置（土壌ｅの幅方向に対して、例えば、１５００ｍｍ〜２０００ｍｍピッチ、好ましくは１８００ｍｍピッチ）に基づいて、この暗渠排水敷設装置Ａを、図１に示すように、破砕体５を走行手段１に対して地上から所定高さに持ち上げた状態で、当該土壌ｅへ搬入する。
すなわち、この暗渠排水ｄは、前記茶園に栽培される茶樹の茶うねｇ方向に対して略平行に、かつ、前記茶樹の茶うねｇ間隔（例えば、１５００ｍｍ〜２０００ｍｍピッチ、好ましくは１８００ｍｍピッチ）に合わせて敷設される。
しかし、該暗渠排水ｄは、茶うねｇ間隔ごと付設しない場合もあるもので、例えば、一うね間隔をあけたごとや二うね間隔をあけたごと等に設定されるものであるが、総じて、一うねの茶うねｇ間隔ごとに付設することが好ましい。
【００３９】
そして、付設時にあって、暗渠排水敷設手段２による走行体３の走行方向に対する後側に掛かる牽引抵抗力（暗渠排水敷設手段２を牽引する際に走行体３へ反力として掛かる力）と、更に、該走行体３の走行方向に対する前側部と走行方向に対する後側部とに据え付けた本体４および暗渠排水敷設手段２の重量のバランスとを取るように設けられているため、走行手段１における走行体３に掛かる装置Ａ全体重量による接地圧は、該走行体３の接地長Ｌ全体へ均等に掛かるので、この装置Ａ全体の重量による土壌ｅの沈下が可及的に抑制され、前記混層耕工程によって良好にぼう軟化した表土は踏み固められることがない。
更に、走行体３の履帯は、８００ｍｍ〜１２００ｍｍと比較的幅広のものを用いているため、履帯の単一当たりの表土に掛かる荷重が分散され、一層、土壌ｅの踏み締めが抑制される。
【００４０】
また、収容ホッパー７に対して疎水材ｃを供給しておくもので、あらかじめ、走行手段１における載置台３３に載置した、あるいは、圃場近傍に用意した疎水材ｃ入りの包装体ｃ１を吊持手段３４により操作して吊り上げる。
そして、収容ホッパー７の開口部へ移動して収容ホッパー７の底部を対応させて、該包装体ｃ１の結束部材ｃ２をほどくことで内部の疎水材ｃが自重落下して収容ホッパー７に充填される。収容ホッパー７に入りきれない疎水材ｃは、収容ホッパー７から溢れることなく包装体ｃ１内に納められて減少に伴う次の自重落下に備える。
【００４１】
一方、高さ位置検出手段３２におけるレーザ発光体をこの土壌ｅの近隣に設置し、レーザ光線を発信すると、略水平で横方向に幅広い光が収容体のレーザ受信体に対して照射される。
【００４２】
この状態で、昇降手段６を操作して保持体１７を降下させ、その破砕体５を土壌中へ貫入させると、高さ位置検出手段３２におけるレーザ受信体がレーザ発光体のレーザ光線を設定した位置において受信したとき、昇降手段６の作動が停止し、破砕体５が土壌中において所定の深さ位置において位置決めされるものであって、例えば、図３に示すように、その貫入深さは４００ｍｍ〜８００ｍｍに設定される。
なお、破砕体５の貫入深さは、高さ位置検出手段３２を用いることなく、作業者の目視に行ってもよい。
作業開始時の破砕体５の土壌中への貫入にあっては、図８に示すように、圃場の一側（作業開始側）に破砕体５の貫入深さ程度に掘り起こした準備坑ｅ１を形成しておけば容易にその作業が行える。
【００４３】
そして、リール体３１からその始端の排水管ｂを引き出して破砕体５における挿嵌路２７へ挿入し、その下部の送り出し口２７ａから排水管ｂの始端部を引き出し、土壌ｅにおける準備坑ｅ１へ敷設した主排水管６０に設けた接続管６１に連結する。この主排水管６０の終端部６０ａは圃場における土壌ｅの外部へ臨ませて、各排水管ｂから集水して適宜外部へ排出できるようにしてある。
【００４４】
これで暗渠排水ｄの敷設準備ができたもので、走行手段１を駆動させて保持体１７、すなわち破砕体５を牽引すると、該破砕体５の土切り体２０と掘進部材２１とが、図３および図７に示すように、圃場における土壌中を推進して、所定幅、例えば６０ｍｍ〜１００ｍｍの幅で、深さ４００ｍｍ〜８００ｍｍの縦溝２４および埋設路２５を形成する。この縦溝２４は、例えば、混層耕を施してない土壌ｅに対しては、土壌ｅの表土における作土層と心土層とを縦溝２４幅で破壊し、心土層をぼう軟にする。
【００４５】
更に、走行手段１の移動と同時に、排水管ｂがリール体３１から引き出されて走行手段１の走行移動距離分が順次供給され、縦溝２４の底部である埋設路２５へ順次敷設される。
【００４６】
また、収容ホッパー７の疎水材ｃは、通路７ａを経て破砕体５の供給路２２に落下し、該供給路２２の高さ方向全体に充満するもので、走行手段１の移動に伴って、その高さ方向全体の開口部２６から吐出され、前記敷設された排水管ｂの周りおよび縦溝２４の幅並びに高さ方向の全体に対して、図５に示すように、疎水材ｃが万遍なく充填されるもので、この疎水材ｃが作土層と心土層とを接続し、一連の通気・通水等の導通層を形成するものであって、これらの作業が、走行手段１の移動に伴って、一連の連続状態で行なわれる。
更に、破砕体５に設けた加振手段３０が、この破砕体５全体へ所定ピッチの振動を連続的に与えるために、地中にあって、該破砕体５における土切り部材２０と掘進部材２１の推進があまり土圧を受けることなく円滑に行われると共に、供給路２２内に充填されている疎水材ｃの落下流動が促進されて、その開口部２６からの疎水材ｃの吐出が円滑に行われる。
【００４７】
このとき、破砕体５の供給路２２への疎水材ｃの供給が円滑に行われないときは、図示してない送り込み手段や掻きだし手段を通路７ａの近傍あるいは供給路２２内に、更には送り出し口２７ａ付近に設けることで、疎水材ｃの流動が促進される。この手段は、特に、疎水材ｃに湿った籾殻を用いたときに有効である。
包装体ｃ１内の疎水材ｃが無くなり、収容ホッパー７内の疎水材ｃが残り少なくなったときは、事前に、吊持手段３４を用いて載置台３３上の新しい疎水材ｃ入りの包装体ｃ１に交換し、収容ホッパー７内へこの疎水材ｃ入りの包装体ｃ１を対応させれば、疎水材ｃ供給に際して、排水管ｂと疎水材ｃとの敷設作業を停止することなく、いわゆる、走行手段１を停止させることなく連続した前記敷設工事を効率よく行える。
【００４８】
そして、暗渠排水ｄの敷設作業が終了した箇所は、その溝が付けられた表面部を所定に均す。この暗渠排水ｄの敷設により、土壌ｅにあって、心土層が排水性や通気性が不良となることがなく、常に、作土層や心土層に停滞しようとする水分は、縦溝２４におけるその疎水材ｃ層の高さ方向のどの位置からも、疎水材ｃである導通層へ導かれて落下し、縦溝２４の底部に敷設された排水管ｂの通孔ｂ１を経て該排水管ｂ内へ流入し、終端部の主排水管６０へ集められて土壌ｅ外部へ流れ出る。
【００４９】
また、心土層や作土層の乾燥度合いに応じて、縦溝２４にあってその疎水材ｃ層の高さ方向のどの位置からも心土層へ流出して、その水分補給が行なわれる等の相互交流がなされる。
【００５０】
更に、心土層に対して、疎水材ｃである導通層を介して、縦溝２４にあって、その疎水材ｃ層の高さ方向のどの位置からも保気してある気体の供給が行なわれ、土中の微生物の活性化や作物（茶樹）の根の育成を良好とさせる。
【００５１】
そして、疎水材ｃにクリンカアッシュを用いたときは、クリンカアッシュに形成された細かい多数の空洞部によって、適度の保水性が図られて栽培される作物（茶樹）に対する吸水性が発揮されると共に、この空洞部に空気が介在して土壌の圧密化が抑制される。しかも、籾殻を使用した場合と比べて、経年使用等に起因する劣化が少なく耐久寿命が延長されて、長い期間の暗渠排水としての効果が維持される。
また、廃棄物として排出されるクリンカアッシュをリサイクルすることができるので、該廃棄物の効率的な処理が行えると共に、枯渇化にある籾殻に代わって資源の有効利用が図れる。更に、経年使用にあって、このクリンカアッシュは土壌に悪影響を与えない。
【００５２】
また、図８および図９に示すように、前記した圃場が茶園であったときは、連続的で直線状に敷設される排水管ｂ，ｂ…および疎水材層ｃ，ｃ…からなる暗渠排水ｄは、前記茶園に栽培される茶樹の茶うねｇ，ｇ…方向に対して略平行に、かつ、少なくとも、この茶園に栽培される多数条の茶うねｇ，ｇ…のうね間ｈ，ｈ…を除いた位置において、前記茶樹の茶うねｇ，ｇ…の間隔Ｒ１と略同一の間隔Ｒ２に合わせて敷設されるもので、この茶園に栽培される茶樹（茶うねｇ）の下方に位置するように、あるいは、茶樹（茶うねｇ）の下側の近傍（多少位置がずれても構わない）に位置する（いわゆる、うね間ｈの下方には暗渠排水ｄが設けられない状態であること）ように埋設させる。
【００５３】
これにより、茶樹の根株には、敷設された暗渠排水ｄにより、常に新鮮な空気（酸素）と水分あるいは養分などが供給され、茶樹の生育や管理に良好な結果を与えることができる。あるいは、茶樹の根株付近や下方に停滞する過剰水分を暗渠排水ｄにより排除することができるので根腐れがなくなる。
更に、茶樹のうね間ｈには、定期的に、機械による施肥や前記したローターバケット５０あるいは一般管理機等により混層耕などを施したり、更には、他の茶園管理や茶葉の摘採などのために、何度となくそれぞれの作業機械や作業者が往来する。
したがって、前記混層耕を施した場合には、このうね間ｈの下側に暗渠排水ｄが敷設されていると、その作業中に、ローターバケット５０の爪５２や掘削機などが干渉して、地下の該暗渠排水ｄを破壊してしまうおそれがあるが、本実施例にあっては、茶樹（茶うねｇ）の下方に位置するようにこの暗渠排水ｄを敷設してあるので、前記した様々な問題点が解消される。
【００５４】
図１０においてＡは、第二の実施例を示す暗渠排水敷設装置で、走行手段１と、暗渠排水敷設手段２と、載置台３３と、吊持手段３４と、移送手段６３とにより基本的に構成される。
この第二の実施例にあっては、第一の実施例において包装体ｃ１に収容された疎水材ｃを暗渠排水敷設手段２における収容ホッパー７へ直接供給するのに対し、本実施例は、吊持手段３４により吊持された包装体ｃ１に入った疎水材ｃを一旦移送手段６３へ投入し、この移送手段６３から疎水材ｃの均しやほぐしなどを行って、所定量（移送量を調整させることができる）を収容ホッパー７内へ供給させる構成のものである。
【００５５】
そして、前記した走行手段１は、走行体３と本体４とからなるもので、前記第一実施例において示した走行手段１が利用できるもので、その詳細な説明はこれを援用し省略する。
【００５６】
前記した暗渠排水敷設手段２は、前記第一実施例と同様に、走行手段１の一側に取り付けて、圃場における地中に排水管ｂと該排水管ｂの上部へ疎水材ｃを連続的に埋設するもので、昇降手段６と、収容ホッパー７と、破砕体５と、供給手段９と、送り込み手段８とからなる。
このうち、前記した昇降手段６は、前記第一実施例において示す場合と同様に構成されるため、その詳細な説明はこれを援用し省略する。
【００５７】
前記した収容ホッパー７は、昇降手段６の保持体１７へ取り付けて、多量の疎水材ｃを収容するもので、上部が大きく開口する漏斗状に形成され、この収容ホッパー７の底部の開口には、疎水材ｃが自重落下で送り出される供給路２２へ接続される通路７ａが設けられている。
また、この収容ホッパー７の開口部には、後記する送り込み手段８が設けられている。
【００５８】
前記した破砕手段５は、前記第一実施例において示す場合と同様に構成されるため、その詳細な説明はこれを援用し省略する。
【００５９】
前記した供給手段９は、破砕体５により形成された縦溝２４の底部における埋設路２４ａに排水管ｂを供給するもので、前記第一実施例において示す場合と同様に構成されるものであり、例えば、走行手段１における本体４前部へ回転自在に支承したリール体３１へ、所定長さの該排水管ｂをロール状にかつ引き出し自在に巻き付けておく。
【００６０】
また、送り込み手段８は、暗渠排水敷設手段２における破砕体５の供給路２２に、疎水材ｃの供給を促進させるもので、図１０〜図１３に示すように、収容ホッパー７に取り付けた取付部材６４と、この取付部材６４へ回転自在に垂下させその下端部を収容ホッパー７における通路７ａ内あるいは供給路２２内へその先端部等を臨ませた縦長状の回転軸６５と、この回転軸６５に周設した疎水材ｃの撹拌および該疎水材ｃの供給路２２への送り込みを行う螺旋状に形成した送出部材６６と、回転軸６５へこの回転軸６５と略直交する方向に突設させ、収容ホッパー７内に収容された疎水材ｃの塊や一方向に偏って溜まったものをほぐしたり均したりする一個または複数個の撹拌部材６７と、回転軸６５を駆動する電動や油圧等のモータを用いた回転部材６８とからなる。
【００６１】
なお、回転軸６５に取り付けた送出部材６６は、螺旋状でなくてもよく、図示してないが、この回転軸６５へ間隔的に多数突設した棒や櫛部材などでもよく、通路７や供給路２２内において回転運動でき、収容ホッパー７および通路７や供給路２２内の疎水材ｃを円滑に送り出すことができる手段であれば任意のものが使用される。
【００６２】
前記した載置台３３は、走行手段１の本体４または機体４ａへ、その走行方向を挟んだ両側に設けて、包装体ｃ１に入った疎水材ｃを載置するもので、前記第一実施例において示す場合と同様に構成されるため、その詳細な説明はこれを援用し省略する。
【００６３】
前記した吊持手段３４は、載置台３３上の包装体ｃ１に入った疎水材ｃを係脱自在に吊持するもので、後記する移送手段６３における収容框体７０内へ吊持した疎水材ｃ入りの包装体ｃ１が対応するように構成されているもので、その基本的構成は、前記第一実施例において示す場合と同様に構成されるため、その詳細な説明はこれを援用し省略する。
【００６４】
前記した移送手段６３は、走行手段１における本体４へ取り付けて、包装体ｃ１に入った疎水材ｃを受け入れ、一定量ずつ、暗渠排水敷設手段２における収容ホッパー７へ疎水材ｃを送り込む。
そしてその構成は、本体４に設けた受部材６９へその基部（疎水材ｃの移送始端部側）の回動軸７０により回動自在に取り付けた疎水材ｃの収容框体７１と、この収容框体７１の底部において、疎水材ｃを載置して一側から他側へ向かって走行する平ベルトやアタッチコンベア等の搬送部材７２と、この搬送部材７２を駆動する電動や油圧式のモータ等からなる駆動部材７３と、前記搬送部材７２の疎水材ｃの移送終端部において、送られてきた疎水材ｃを掻きほぐすように設けられたほぐし部材７４とからなる。
【００６５】
このうち、収容框体７１は、包装体ｃ１に入った疎水材ｃを受け入れることができる開口部を上部にもって、一定量（少なくとも、包装体ｃ１一個分の容量）を収容することができる箱形状に形成されていて、疎水材ｃの移送終端部側は該疎水材ｃが排出される開口部が形成されている。この収容框体７１における上部の開口部は覆いにより塞ぐこともでき、飛散や雨水等による疎水材ｃの濡れや劣化を防止することができる。
【００６６】
搬送部材７２は、収容框体７１の底部面の略全体を覆う面積を有していて、該収容框体７１の開口部を貫通するように支承されていて、疎水材ｃの重量によって下方へ凹みやたるみを生じさせない搬送部材受け７５を、この搬送部材７２の搬送往路側の裏面に設けてある。
【００６７】
ほぐし部材７４は、収容框体７１における疎水材ｃの移送終端部側に付設した取付部材７６へ、搬送部材７２の搬送方向と直交する方向に横架した取付軸７７と、この取付軸７７へ、搬送部材７２の送り幅における略全幅に対して放射状に突出させた羽根体７８とからなるもので、取付軸７７は電動や油圧等のモータによる駆動部材７９により一方向へ連続または間欠に回転される。
また、羽根体７８は、収容框体７１の移送終端部側から延設された受体８０上へ落下状に移送された疎水材ｃに対して、あるいは搬送部材７２の搬送途中にある疎水材ｃに対して、ほぐしや撹拌あるいは均し作用を与えることができるものである。
更には、ほぐしや撹拌あるいは均し作用が充分に与えられた疎水材ｃは、該ほぐし部材７４により収容ホッパー７内へ落とし込まれる。
なお、搬送部材７２とほぐし部材７４とは連動させるあるいはそれぞれを独立して駆動させるものであり、これら搬送部材７２およびほぐし部材７４と送り込み手段８とは、それぞれ疎水材ｃの移送速度を調整してあって、地中に対する排水管ｂおよび疎水材ｃの敷設速度に合わせて適宜設定される。
【００６８】
この収容框体７１の移送終端部と収容ホッパー７上部とは、可撓性（例えば、蛇腹形状）を有する筒状の接続部材８１により、疎水材ｃの落下案内を促進させるもので、搬送部材７２からの疎水材ｃを外部へ漏れ出さないように収容ホッパー７内へ誘導する。
この構成により、疎水材ｃが、例えば、枝条チップ等や乾燥した籾殻であって比較的軽量な場合は、風などの作用による飛散が防止される。
なお、この接続部材８１は、昇降手段６により暗渠排水敷設手段２が昇降した際の収容ホッパー７の上下動を妨げない前記可撓性を持つことが好ましいもので、収容框体７１の移送終端部の略全面およびこの移送終端部から収容ホッパー７上部略全面までの空間部を覆うものである。
【００６９】
また、前記した収容框体７１は、本体４に設けた受部材６９へその基部（疎水材ｃの移送始端部側）の回動軸７０により回動自在に取り付けているもので、半発明実施例の暗渠排水敷設装置Ａの搬送等において、昇降手段６により暗渠排水敷設手段２を上昇させたとき、この暗渠排水敷設手段２の収容ホッパー７がこの収容框体７１に干渉しないように、昇降手段６の上昇および降下作動に応じて追従できるようにしてある。
そしてその構成は、収容ホッパー７の底板８２における底部に係合体８３を取り付けて、昇降手段６の連係体１３に設けた当接体８４が係合体８３を押し上げたとき、この連係体１３の移動と共に収容ホッパー７が回動軸７０を中心として移動するものである。
【００７０】
なお、昇降手段６による暗渠排水敷設手段２の降下時は、収容ホッパー７は、本体４に設けた受部材６９に取り付けた支持部材８５に係合体８３が当接することで略水平状態が保持される。
【００７１】
前記のように構成される本発明の第二実施例の暗渠排水敷設装置Ａは、以下に述べる作用を奏する。
本実施例の特徴である、吊持手段３４により吊持された包装体ｃ１に入った疎水材ｃを一旦移送手段６３へ投入し、この移送手段６３から所定量を収容ホッパー７内へ供給させる点を重点的に述べる。
【００７２】
疎水材ｃが入った包装体ｃ１は、吊持手段３４により本体１において両側に設けた載置台３３へ、複数個、例えば、片側４個、両側計８個が積み込まれる。
そして、暗渠排水敷設手段２における収容ホッパー７内へ疎水材ｃを供給するには、まず、前記包装体ｃ１群の内の一個にフック３９を掛け、吊持手段３４を操作して移送手段６３における収容框体７１上にこの包装体ｃ１を対応させる。
この状態で、包装体ｃ１の結束部材ｃ２をほどくと、内部の疎水材ｃが自重落下して、収容框体７１内の収容ホッパー７へ向かって走行する搬送部材７２上に次々と積み込まれる。このとき、包装体ｃ１内において塊状となっていた疎水材ｃは落下の勢いおよび急激に外部への拘束開放に伴って、面積の広い搬送部材７２上にバラけて広がる。
【００７３】
すると、この搬送部材７２上で層状となった疎水材ｃは該搬送部材７２の移送終端部へ向かって移動するもので、その移送終端部において底板８２から延設された受体８０上へ該疎水材ｃが落下するもので、この落下位置において、ほぐし部材７４における羽根体７８が前記層状となった疎水材ｃに干渉して、まだ塊状となっているものやブリッジ状となったものに対してほぐし作用を与えつつ、取付部材７６の空間部において羽根体７８により掻き上げられたものが飛散して細かいバラけた状態となる。
【００７４】
この細かい状態になった疎水材ｃは、接続部材８１により誘導案内されて収容ホッパー７内に投下されるもので、該収容ホッパー７内に所定量（量の調整を行うことができる。）が溜まる。
すなわち、この疎水材ｃの投下量は、地中への埋入量に応じて適宜選定し得るもので、搬送部材７２およびほぐし部材７４の移送量を調整することで疎水材ｃの需要と供給のバランスが取られる。
【００７５】
そして、収容ホッパー７内に溜められた疎水材ｃは、連続または間欠的に回転する撹拌部材６７により更に撹拌・混合され、例え、漏斗状に形成され手先細りとなる収容ホッパー７内においても、疎水材ｃはブリッジ状となることがなく、再度ほぐされつつ円滑に通路７ａへ送り込まれる。
更に、この撹拌部材６７の下側に設けた送出部材６６により、収容ホッパー７内の底部付近、および通路７ａ付近にある疎水材ｃをこの撹拌部材６７の回転移動に連れて、この通路７ａの移動先へ向かっておよび供給路２２へ向かって一定量づつ確実に送り込む。
【００７６】
送り込まれた疎水材ｃは、溝壁押さえ２３，２３の開口部２６から、破砕体５によって形成され縦溝２４内へ順次円滑に供給される。
【００７７】
この実施例によれば、破砕体５から地中へ供給される疎水材ｃは、その収容ホッパー７へ送り込まれる前の工程において、移送手段６３によって所定量が、例えば、包装体ｃ１の１個分あるいは２個分が取り出されて載置し待機しているので、該包装体ｃ１内の疎水材ｃが空になるまで吊持手段３４によってこの包装体ｃ１を吊持しなくてもよいため、該吊持手段３４は直ちに次の疎水材ｃ入りの包装体ｃ１の吊持準備ができる。
【００７８】
また、収容ホッパー７内に送り込まれる疎水材ｃは、移送手段６３およびほぐし部材７４によって塊状やブリッジ状態が解消されて、収容ホッパー７内や通路７ａ更には供給路２２内においての流動性が向上する。
次に、収容ホッパー７内において、送り込み手段８における撹拌部材６７および送出部材６６により、前記ほぐされた疎水材ｃを、更にほぐし作用を与えるので、移送手段６３から投入した際にできたブリッジ状態のものや、湿っていたため個々の流れやほぐれが悪く固まりやすいものも、再度ほぐされて円滑に地中の縦溝２４へこの疎水材ｃが送られる。
【００７９】
図１０において９０は補助掘削手段で、必要に応じて設けることができるものであって、破砕体５により形成される縦溝２４および埋設路２４ａを形成する前に、あらかじめ、一部の縦溝２４ｇおよび埋設路２４ａｇを形成しておく。これにより、破砕体５による縦溝２４および埋設路２４ａの形成抵抗が大幅に軽減され、作業能率が向上する。
この補助掘削手段９０は、暗渠排水敷設手段２より前方に設けるものであれば本体４の適所に取り付けられるもので、例えば、本体４の前部においてブラケット９１へ、補助土切り部材２０ａと補助掘進部材２１ａとを枢軸９３により揺動自在に設けて、油圧シリンダ等の揺動部材９４によりこの補助土切り部材２０ａと補助掘進部材２１ａとを地上と地中とを選択的に位置させる。
【００８０】
【発明の効果】
前述のように構成される本発明は、土壌中へ排水管の敷設と疎水材の充填とが連続作業に行えるため、短時間に大面積の土壌改良を行うことができ、土中の通気や通水性を大幅に向上させることができる効果を有する。
【００８１】
走行手段において、その走行方向における両側に設けた包装体に入った疎水材を載置する略水平の載置台を設けることにより、疎水材入りの包装体が複数個載置されるもので、暗渠排水を形成中に疎水材が残り少なくなったときは、事前に、吊持手段を用いて載置台上の新しい包装体に交換することができて、この暗渠排水作業を中断させることなく連続的に行うことができる
【００８２】
収容ホッパー内に送り込まれる疎水材は、移送手段によって塊やブリッジ状態が解消されて、収容ホッパー内や通路更には供給路内においての流動性が向上する。
【００８４】
疎水材にクリンカアッシュを用いることにより、クリンカアッシュに形成された細かい多数の空洞部によって、適度の保水性が図られて栽培される作物に対する吸水性が発揮されると共に、この空洞部に空気が介在して土壌の圧密化が抑制される。しかも、籾殻を使用した場合と比べて、経年使用等に起因する劣化が少なく耐久寿命が延長されて、長い期間の暗渠排水としての効果が維持される。
また、廃棄物として排出されるクリンカアッシュをリサイクルすることができるので、該廃棄物の効率的な処理が行えると共に、枯渇化にある籾殻に代わって資源の有効利用が図れる。
更に、木質系チップを用いた場合は、今まで廃棄処分されていた木材を有効利用することができると共に、地中に埋設されたとき、経年、これが堆肥となって土壌に有効的となる。
【００８５】
収容ホッパー内において、送り込み手段により、疎水材にほぐし作用を与えるので、移送手段から投入した際にできたブリッジ状態のものや、湿っていたため流れが悪く固まりやすいものも、再度ほぐされて円滑に地中の縦溝へこの疎水材を送ることができる。
【図面の簡単な説明】
【図１】本発明に関する暗渠排水敷設装置の第一実施例を示す概略的な側面図である。
【図２】図１における要部を示す概略的な正面図である。
【図３】図２における暗渠排水敷設手段の一部を破断して示す側面図である。
【図４】図３における破砕体の横断平面図である。
【図５】図１における装置により施工された土壌の断面図である。
【図６】本発明に関する暗渠排水敷設装置において混層耕に用いるローターバケットを概略的に示す斜視図である。
【図７】図１における装置による暗渠排水の敷設状態を示す側面図である。
【図８】図７における装置による暗渠排水の敷設状態を示す平面図である。
【図９】図１における装置により暗渠排水が施工された茶園における土壌の断面図である。
【図１０】本発明に関する暗渠排水敷設装置の第二実施例を示す概略的な側面図である。
【図１１】図１０における暗渠排水敷設手段および移送手段部を一部を破断して示す側面図である。
【図１２】図１１における収容ホッパー部の横断平面図である。
【図１３】図２における移送手段の要部を破断して示す説明図である。
【図１４】従来装置による暗渠排水の敷設状態を示す側面図である。
【符号の説明】
ｂ…排水管．ｃ…疎水材．ｃ１…包装体．ｄ…暗渠排水．ｇ…茶うね．ｈ…うね間．１…走行手段．２…暗渠排水敷設手段．３…走行体．４…本体．５…破砕体．６…昇降手段．７…収容ホッパー．８…送り込み手段．２０…土切り体．２１…掘進部材．２２…供給路．３０…加振手段．３１…供給手段．３４…吊持手段．３６…移送手段
【図１】
0003554731.tif 000002
【図２】
0003554731.tif 000003
【図３】
0003554731.tif 000004
【図４】
0003554731.tif 000005
【図５】
0003554731.tif 000006
【図６】
0003554731.tif 000007
【図７】
0003554731.tif 000008
【図８】
0003554731.tif 000009
【図９】
0003554731.tif 000010
【図１０】
0003554731.tif 000011
【図１１】
0003554731.tif 000012
【図１２】
0003554731.tif 000013
【図１３】
0003554731.tif 000014
【図１４】
0003554731.tif 000015